(57)【要約】【課題】  白欠陥画素だけでなく黒欠陥画素も簡易な構成で検出でき、これら欠陥画素による画質低下を的確に補正できる撮像装置を提供する。【解決手段】  デジタルカメラ１は、被写体像を電気信号に光電変換する撮像素子２５に被写体像を結像する屈曲型鏡胴２０と、撮像素子２５から読み出された電気信号に所定の画像処理を施すデジタル信号処理部４と、撮像素子２５の欠陥画素情報を記録する欠陥画素情報記録部４４を有すると共に所定の欠陥画素補正を行う欠陥画素補正部４２とを備える。屈曲型鏡胴２０の開口部には、光拡散性及び光透過性を備えたレンズバリア２が設けられ、外部の光を所定の拡散光（検出光）に変換して前記撮像素子２５へ導光可能とされ、レンズバリア２を閉じた状態で黒欠陥画素が検出可能とされている。【選択図】      図３
2005303818.tif 000002
【特許請求の範囲】
【請求項１】
光学レンズ及び被写体像を電気信号に光電変換する撮像素子を備える撮像手段と、撮像素子から読み出された電気信号に所定の画像処理を施す画像処理手段と、撮像素子の欠陥画素情報を記録する欠陥画素情報記録部を有すると共に所定の欠陥画素補正を行う欠陥画素補正手段とを備える撮像装置において、
外部の光を所定の検出光に変換して前記撮像素子へ導光可能とする導光手段を備え、
前記欠陥画素情報記録部に、前記導光手段を介して検査光が撮像素子に入射されているときに検出される欠陥画素情報が記録可能とされていることを特徴とする撮像装置。
【請求項２】
導光手段により導光される検査光は、撮像素子の全域に対して均一に照射される拡散光であることを特徴とする請求項１記載の撮像装置。
【請求項３】
導光手段が、撮像手段の光路に対して出没自在に配置された光透過性及び光拡散性を有する変換部材を具備することを特徴とする請求項２記載の撮像装置。
【請求項４】
撮像手段が備える光学レンズを保護するレンズバリアが設けられ、該レンズバリアは光透過性及び光拡散性を有する部分を少なくとも一部に備えており、
このレンズバリアが前記導光手段における変換部材を兼ねる構成とされていることを特徴とする請求項３記載の撮像装置。  
【請求項５】
導光手段を介した検査光による欠陥画素検出が、該撮像装置の起動時若しくは起動停止時に行われるよう構成されていることを特徴とする請求項１記載の撮像装置。
【請求項６】
光学レンズ及び被写体像を電気信号に光電変換する撮像素子を備える撮像手段と、
撮像素子から読み出された電気信号に所定の画像処理を施す画像処理手段と、
撮像素子の欠陥画素を検出する欠陥画素検出部及び検出された欠陥画素情報を記録する欠陥画素情報記録部を有すると共に、所定の欠陥画素補正を行う欠陥画素補正手段とを備える撮像装置において、
前記撮像手段には、該撮像手段の光路を遮断可能なシャッターと、撮像手段の光路に対して出没自在に配置され、撮像手段が備える光学レンズを保護する光透過性及び光拡散性を有するレンズバリアとが付設されており、
前記欠陥画素検出部は、前記シャッターが開の状態で且つ前記レンズバリアが光路に位置している状態において欠陥画素の検出動作を行い、
このときに検出される欠陥画素情報が前記欠陥画素情報記録部に記録可能とされていることを特徴とする撮像装置。
【請求項７】
欠陥画素検出部は、
前記シャッターが閉の状態において白画素の欠陥画素検出を行う白画素欠陥検出モードと、
前記シャッターが開の状態で且つ前記レンズバリアが光路に位置している状態において黒画素の欠陥画素検出を行う黒画素欠陥検出モードとで欠陥画素の検出動作を行い、
これらの検出動作において検出される欠陥画素情報が前記欠陥画素情報記録部に記録可能とされていることを特徴とする請求項６記載の撮像装置。
【発明の詳細な説明】
【技術分野】
【０００１】
本発明は、被写体像を電気信号に光電変換する撮像素子を用いた撮像装置において、前記撮像素子の欠陥画素を検出して欠陥補正をすることが可能な撮像装置に関し、特に黒欠陥画素を簡易な構成で検出し得るようにした撮像装置に関するものである。
【背景技術】
【０００２】
ＣＣＤ（charge coupled device）撮像素子等の固体撮像素子には、所定の光電変換動作を行わない欠陥画素が発生することがある。このような欠陥画素には、黒欠陥画素と白欠陥画素とがある。黒欠陥画素は黒キズとも呼ばれ、例えば明るい被写体を撮影した場合に、欠陥個所が黒点となって現れる画像欠陥である。また白欠陥画素は白キズとも呼ばれ、例えば夜間撮影時において、欠陥個所が白点となって現れる画像欠陥である。
【０００３】
このような欠陥画素が１つでも存在するとその欠陥がよく目立ち、撮影画像の品質を著しく低下させてしまうことになる。一方、かかる欠陥画素が皆無の撮像素子を生産すること、並びに欠陥画素が皆無の状態を長期に亘り維持することは、事実上困難である。そこで、例えば特許文献１又は特許文献２に開示されているように、撮影画像から欠陥画素を適時検出し、検出された欠陥画素のアドレスを欠陥画素情報記録部等に記憶させておき、画像データの記録時等において、記憶させておいたアドレスに対応する画素の出力データを周囲に存在する健全画素の出力データに基づいて補間処理する欠陥画素補正手段を、撮像装置に具備させる手法が従来から採られている。
【特許文献１】特開２００２−３５４３４０号公報
【特許文献２】特開２００３−１１６０３３号公報
【発明の開示】
【発明が解決しようとする課題】
【０００４】
上記白欠陥画素は、被写体光が弱い撮影画像の場合に白点として表出する欠陥であることから、その欠陥検出に際しては撮像素子への入射光を遮断した状態とすれば良いことになる。従って白欠陥画素は、例えば特許文献１に示されているように、シャッター等の遮光板を用いて撮像系を遮光状態とすれば比較的容易に検出することが可能となる。
【０００５】
ところが黒欠陥画素は、被写体光が比較的強い撮影画像の場合に黒点として表出する欠陥であることから、その欠陥検出に際しては撮像素子に対して一定の入射光が与えられている状態を作出する必要がある。このような黒欠陥画素の検出環境を、一般的な撮像装置が具備している機構を活用して作出するのは比較的困難である。このため、特許文献２では、充電用のカメラスタンドに黒欠陥画素検出のための専用光源を設け、前記カメラスタンドにカメラが載置されている状態において、前記専用光源から適時撮像素子に測定光を入射させる手段が採用されている。
【０００６】
しかしながら、特許文献２の構成によれば、黒欠陥画素検出のための専用光源を準備する必要があり、さらにカメラスタンドにカメラが載置されている状態でないと黒欠陥画素の検出が行えないという不具合がある。従って本発明は、白欠陥画素だけでなく黒欠陥画素も簡易な構成で検出でき、これら欠陥画素による画質低下を的確に補正できる撮像装置を提供することを目的とする。
【課題を解決するための手段】
【０００７】
本発明の請求項１にかかる撮像装置は、光学レンズ及び被写体像を電気信号に光電変換する撮像素子を備える撮像手段と、撮像素子から読み出された電気信号に所定の画像処理を施す画像処理手段と、撮像素子の欠陥画素情報を記録する欠陥画素情報記録部を有すると共に所定の欠陥画素補正を行う欠陥画素補正手段とを備える撮像装置において、外部の光を所定の検出光に変換して前記撮像素子へ導光可能とする導光手段を備え、前記欠陥画素情報記録部に、前記導光手段を介して検査光が撮像素子に入射されているときに検出される欠陥画素情報が記録可能とされていることを特徴とする。
【０００８】
このような構成によれば、導光手段により外部の光（当該撮像装置が置かれている環境の光）を取り入れ、これを所定の検査光に変換して撮像素子に導き、かかる検査光が撮像素子に入射されているときに欠陥画素を検出して欠陥画素情報記録部に欠陥画素情報が記録される。このときに検出される欠陥画素は、所定の検査光が撮像素子に照射されているときの欠陥画素であるので、黒欠陥画素についての欠陥画素情報となる。従って、別段黒欠陥画素検出のための専用光源を設けることなく、前記導光手段により導かれる検査光に基づいて黒欠陥画素の検出が行えるようになる。
【０００９】
上記構成において、導光手段は当該撮像装置が置かれている環境下において、外部から光を撮像装置内部に取り入れ、これを所定の検査光に変換した上で撮像手段が備える撮像素子へ導くものであれば、その具体的態様につき特に制限はない。例えば、導光窓を撮像装置の本体ボディに設けると共に、前記導光窓から撮像素子に至る分光路を設け、この分光路中に検査光への変換手段を設置する構成、或いは撮像手段が備える被写体像入射光路を導光手段における光路と兼用させ、前記光路中に検査光への変換手段を設置する構成等を採用することができる。
【００１０】
上記撮像装置において、導光手段により導光される検査光は、撮像素子の全域に対して均一に照射される拡散光であることが望ましい（請求項２）。外部から取り入れられる光を、このような拡散光に変換して撮像素子に照射することにより、黒欠陥画素の検出精度を向上させることができる。
【００１１】
上記請求項２にかかる構成において、導光手段が、撮像手段の光路に対して出没自在に配置された光透過性及び光拡散性を有する変換部材を具備する構成とすることが望ましい（請求項３）。このような構成であれば、前記変換部材を光路に位置させるだけで、導光手段が外部から取り入れる光を、所定の拡散光に変換した上で、撮像素子に照射できるようになる。
【００１２】
また上記請求項３にかかる構成において、撮像手段が備える光学レンズを保護するレンズバリアが設けられ、該レンズバリアは光透過性及び光拡散性を有する部分を少なくとも一部に備えており、このレンズバリアが前記導光手段における変換部材を兼ねる構成とされていることが望ましい（請求項４）。この構成によれば、一般的な撮像装置が通常具備している構成要素であるレンズバリアを活用して、本発明にかかる導光手段を構築することができる。
【００１３】
上記構成において、導光手段を介した検査光による欠陥画素検出が、該撮像装置の起動時若しくは起動停止時に行われるよう構成することが望ましい（請求項５）。この構成によれば、例えば撮像装置の通常のオペレイトにおいてレンズバリアが閉じている時間帯、すなわち当該撮像装置が起動されて撮影スタンバイに至るまでの時間帯、或いは起動停止操作が行われて電源が切れるまでの時間帯、若しくは電源ＯＦＦの時間帯等に、ユーザが特に意識的な動作を為さずとも、黒欠陥画素の検出動作が自動的に行われ、その欠陥画素情報を欠陥画素情報記録部に記録させることができるようになる。
【００１４】
本発明の請求項６にかかる撮像装置は、光学レンズ及び被写体像を電気信号に光電変換する撮像素子を備える撮像手段と、撮像素子から読み出された電気信号に所定の画像処理を施す画像処理手段と、撮像素子の欠陥画素を検出する欠陥画素検出部及び検出された欠陥画素情報を記録する欠陥画素情報記録部を有すると共に、所定の欠陥画素補正を行う欠陥画素補正手段とを備える撮像装置において、前記撮像手段には、該撮像手段の光路を遮断可能なシャッターと、撮像手段の光路に対して出没自在に配置され、撮像手段が備える光学レンズを保護する光透過性及び光拡散性を有するレンズバリアとが付設されており、前記欠陥画素検出部は、前記シャッターが開の状態で且つ前記レンズバリアが光路に位置している状態において欠陥画素の検出動作を行い、このときに検出される欠陥画素情報が前記欠陥画素情報記録部に記録可能とされていることを特徴とする。この構成によれば、光透過性及び光拡散性を有するレンズバリアを経由した光（検査光）の存在下で欠陥画素の検出動作が行われる構成であることから、簡易な構成で黒欠陥画素の検出が行えるようになる。
【００１５】
上記構成において、欠陥画素検出部は、前記シャッターが閉の状態において白画素の欠陥画素検出を行う白画素欠陥検出モードと、前記シャッターが開の状態で且つ前記レンズバリアが光路に位置している状態において黒画素の欠陥画素検出を行う黒画素欠陥検出モードとで欠陥画素の検出動作を行い、これらの検出動作において検出される欠陥画素情報が前記欠陥画素情報記録部に記録可能とされた構成とすることが望ましい（請求項７）。この構成によれば、黒欠陥画素及び白欠陥画素の検出を、前記シャッターの開閉と、前記レンズバリアの被写体像光路への出没とを適宜制御することで簡易に行うことができる。
【発明の効果】
【００１６】
請求項１にかかる撮像装置によれば、導光手段により外部の光を所定の検出光に変換して撮像素子へ導光させる構成を採用したことから、従来は困難であった黒欠陥画素の検出が行えるようになる。しかも特許文献２に開示された撮像装置のように、別段黒欠陥画素検出のための専用光源を設ける必要もないことから、簡易な装置構成で黒欠陥画素の検出が行えるという効果を奏する。
【００１７】
請求項２にかかる撮像装置によれば、撮像素子の全域に対して均一に照射される拡散光に変換して撮像素子に照射する構成であるので、黒欠陥画素の検出精度が向上し、従って欠陥画素補正手段によってより適正な欠陥画素補正が行えるようになり、撮像される画像の品質を一層向上させることができる。
【００１８】
請求項３にかかる撮像装置によれば、光透過性及び光拡散性を有する変換部材を光路に位置させるだけで、導光手段が外部から取り入れる光を、所定の拡散光に変換した上で撮像素子に照射できるので、簡易な構成で黒欠陥画素の検出が行える撮像装置を提供できるという効果を奏する。
【００１９】
請求項４にかかる撮像装置によれば、一般的な撮像装置が通常具備している構成要素であるレンズバリアを活用する構成であるので、本発明にかかる導光手段を構築するに際し付加的構成を別段設けることを要しない。従って、撮像装置の構成を複雑化することなく、黒欠陥画素の検出が行える撮像装置を提供できるという効果を奏する。
【００２０】
請求項５にかかる撮像装置によれば、黒欠陥画素の検出動作が自動的に行われ、その欠陥画素情報を欠陥画素情報記録部に記録させることができることから、ユーザが特に意識的な動作を為さずとも、自動的に欠陥画素情報のデータ更新が行われるようになり、ユーザの利便性を向上させることができる。
【００２１】
請求項６にかかる撮像装置によれば、光透過性及び光拡散性を有するレンズバリアを経由した光（検査光）の存在下で欠陥画素の検出動作が行われる構成であることから、従来は困難であった黒欠陥画素の検出が、簡易な構成で行えるようになる。
【００２２】
請求項７にかかる撮像装置によれば、黒欠陥画素及び白欠陥画素の検出を、前記シャッターの開閉と、前記レンズバリアの被写体像光路への出没とを適宜制御することで簡易に行うことができる。従って黒欠陥画素検出機能、並びに白欠陥画素検出機能を備えた撮像装置を、一般的な撮像装置が通常具備している構成要素を活用して達成することができるという効果を奏する。
【発明を実施するための最良の形態】
【００２３】
以下図面に基づいて、本発明の実施形態につき説明する。
図１は、本発明にかかる撮像装置が好適に適用される小型のデジタルカメラ１の外観を示す図であって、図１（ａ）はその上面図、（ｂ）は正面図、（ｃ）は背面図をそれぞれ示している。このカメラ（撮像装置）１は、カメラ本体ボディ１０の頂面には電源釦１０１及びレリーズ釦１０２等が、正面側にはフラッシュ発光部１０３及び撮影レンズ窓１０４等が、また背面側には各種の操作ボタン１０５や液晶モニター（ＬＣＤ）等からなる表示部１０６等がそれぞれ配置されている。そして本体ボディ１０の内部には、各種本体機器の他、屈曲型鏡胴２０と、上下移動式のレンズバリア２とが配置されている。
【００２４】
電源釦１０１は、カメラ１の電源をＯＮ（起動）、ＯＦＦ（起動停止）するための押下スイッチであり、押下動作によりカメラ電源のＯＮ、ＯＦＦが順次繰り返される。レリーズ釦１０２は、スルー画表示モードから撮影モードへの移行、撮影モード時におけるシャッタースタート動作を行わせる押下スイッチである。フラッシュ発光部１０３は、レリーズ釦１０２が押下（半押し）されている状態（撮影モード）において、被写体像が暗い場合に発光して被写体を照明する。撮影レンズ窓１０４は、被写体の光学像を、本体ボディ１０の内部に配置された屈曲型鏡胴２０へ取り入れるための開口部である。操作ボタン１０５はズームスイッチ、メニュー選択スイッチ、選択決定スイッチ等のプッシュスイッチ群である。また表示部１０６は、内蔵する記録媒体に記録された記録画像を再生表示させたり、撮影待機中にビデオ撮影された被写体のスルー画像（ライブビュー画像）を表示させたりするものである。
【００２５】
屈曲型鏡胴２０は、前記撮影レンズ窓１０４を通して被写体像を取り入れ、本体ボディ１０の内部に配置されている撮像素子２５へ導く撮影レンズ系を構成するものである。この屈曲型鏡胴２０は、ズーミングやフォーカシング駆動時においてもその長さ変動しない、つまり本体ボディ１０から外部に突出することのない鏡胴である。
【００２６】
図２は、上記屈曲型鏡胴２０の断面図である。この屈曲型鏡胴２０は、カメラ本体ボディ１０の内部に縦方向に内蔵される筒型を呈しており、外観的にはレンズ群が収納される筒部２００と、カメラ本体ボディ１０の撮影レンズ窓１０４と位置合わせして配置され、被写体像を鏡胴内部へ入射させる開口部２０１を備えた屈曲部２０２とからなる。この屈曲部２０２には、開口部２０１に固定される撮影レンズ（対物レンズ）２１と、屈曲部２０２の傾斜辺に配置され、被写体光軸の方向を水平から下方向に変えるミラー２２とが設けられている。そして、前記筒部２０１には、詳細構造は省略してあるが、光軸に沿って直列的に、ズームレンズブロックや固定レンズブロックからなる撮影光学系を構成するレンズ群２３が配置されている。このレンズ群２３の中間部位にはシャッター２４が配置されており、該シャッター２４の開閉動作により撮影光学系の光路が遮光若しくは通光されるようになっている。
【００２７】
屈曲型鏡胴２０の最深部（底部）には、ＣＣＤ型撮像素子やＣＭＯＳ型撮像素子等の撮像素子２５が配置されている。この撮像素子２５は、光電変換センサが格子状に配列された構成を備え、照射される光学像に応じて各部分のセンサ（画素）が電気信号に変換して出力するものである。該撮像素子２５には、前記レンズ群２３で構成される撮影光学系により結像された光学像が照射（露光）可能とされており、その露光開始と終了、並びに露光時間の制御は、前記シャッター２４の開閉動作の制御により行われる。
【００２８】
すなわち、シャッター２４を所定の露光時間の間「開」の状態とすると、撮像素子２５に結像された光学像に応じて画素を構成する各センサに照射光量相当の電荷の蓄積がなされ、各画素センサが光量に従った電気信号を出力し、この出力信号が後述のデジタル信号処理部に送られ、所定の画像形成がなされる。しかし、前記画素センサの中には、照射光量に依存しない電気信号を出力する異常画素が発生する場合がある。その典型が前述の白欠陥画素及び黒欠陥画素なのである。このような欠陥画素の出力は、欠陥画素補正処理により画像上で顕在化しないよう補完処理がなされる。この点については後に詳述する。
【００２９】
レンズバリア２は、撮影レンズ窓１０４、すなわち屈曲型鏡胴２０の開口部２０１を開状態若しくは閉状態とする上下可動式（図２の矢印ａの方向への可動）の保護部材である。該レンズバリア２は、電源釦１０１により電源ＯＮ操作が為されたときに下方に移動して撮影レンズ窓１０４を「開」として撮影可能な状態とし、電源ＯＦＦ操作が為されたときは撮影レンズ窓１０４を「閉」として撮影レンズ２１を外力等から保護する役目を果たす。なおレンズバリア２の開閉機構については適宜な機構を採用しても良く、上記の上下可動式の他、例えば左右可動式、開扉方式等であっても良い。
【００３０】
前記の如きレンズバリア２は、一般的なデジタルカメラ等にあっても撮影レンズの保護用に具備されているが、通常は遮光性の部材で構成されている。しかしながら、この実施形態においては、本発明にかかる導光手段の光路と、撮像レンズ系の光路とを兼用させる構成を採用している関係で、レンズバリア２として光透過性及び光拡散性を有する部材が用いられる。
【００３１】
すなわち、本発明における導光手段の要件である、
（１）外部の光を所定の検出光に変換して、
（２）撮像素子２５へ導光可能とする、
という点に関し、上記（１）の検査光への変換部材の役目を、レンズバリア２に光透過性及び光拡散性を具備させることで担保させると共に、上記（２）の撮像素子２５への当該検査光の導光経路については、屈曲型鏡胴２０が備える被写体像の入射光路を利用する態様、つまり、導光手段が、撮像手段の光路に対して出没自在に配置された光透過性及び光拡散性を有する変換部材（この場合、レンズバリア２）を具備する態様について、本実施形態は例示している。
【００３２】
ここで光透過性及び光拡散性を有する変換部材としては、透光性のベ―スレジンに微小な光散乱粒子を所定量配合させてなる樹脂成型品、透光性を備える部材の表面に微小な凹凸加工（粗面加工）が施された成型品、或いは透光性の基材に光拡散フィルムを貼付した部材等を用いることができる。この他、着色料を含まないポリエチレン等のプレート材（半透過性の乳白色プレート）等も用いることが可能である。                          
【００３３】
なお、レンズバリア２は、必ずしも全体が光透過性及び光拡散性を有する部材で構成されていなくとも、少なくともその一部に光透過性及び光拡散性を有する部位を備え、この光透過性及び光拡散性部位を通過した外部の光が、屈曲型鏡胴２０の底部に配置されている撮像素子２５へ届くよう構成されていれば良い。
【００３４】
このようなレンズバリア２が屈曲型鏡胴２０の開口部２０１に配置されることで、レンズバリア２が撮影レンズ窓１０４を塞いでいるときであっても、外部の光はレンズバリア２を通過することで拡散光（検査光）に変換されて屈曲型鏡胴２０の内部へ取り入れられることとなる。そしてシャッター２４が「開」の状態であれば、前記検査光は撮像素子２５に照射されることとなる。しかも当該照射される検査光は拡散光であるので、撮像素子２５が備える各画素センサ全域に対して略均一な光量で照射されるようになる。従って、黒欠陥画素の検出を行う場合において、極めて好ましい検出環境を作出することができるものである。
【００３５】
図３は、本実施形態に係るデジタルカメラ１による撮像処理ブロック図である。同図においては、図１、図２に示した部分と同一部分には同一の番号を付している。このデジタルカメラ１は、先に図１及び図２に基づいて説明した構成の他、アナログ信号処理部３１、ＴＧ（タイミングジェネレータ）部３２、カメラ制御部３３、シャッター駆動部３４、レンズバリア駆動部３５、デジタル信号処理部４、欠陥画素アドレス記録部４４、メモリカード１０７、及び画像メモリ部５などを備えている。
【００３６】
アナログ信号処理部３１は、撮像素子２５から出力される画像信号（ＣＣＤエリアセンサーの各画素で受光されたアナログ信号群）に所定の信号処理を施した後、デジタル信号に変換して出力するものである。アナログ信号処理部３１は、図示省略しているが、ＣＤＳ回路（相関二重サンプリング回路）、ＡＧＣ回路、及びＡ／Ｄ変換回路等を備えて構成されている。前記ＣＤＳ回路は、アナログ画像信号に含まれるリセット雑音を低減し、ＡＧＣ回路はアナログ画像信号のレベルを補正し、またＡ／Ｄ変換回路はアナログ画像信号を、例えば１０ビットのデジタル画像信号（画像データ）に変換する役目をそれぞれ果たす。なお、このアナログ信号処理部３１はＡＦＥ（アナログフロントエンド）と呼ばれ、通常一つのＩＣで構成されるのが一般的である。
【００３７】
ＴＧ（タイミングジェネレータ）部３２は、撮像素子２５の撮影動作（露光に基づく電荷蓄積や蓄積電荷の読出し等）を制御するものである。タイミングジェネレータ部３２は、カメラ制御部３３からの撮影制御信号に基づいて所定のタイミングパルス（垂直転送パルス、水平転送パルス、電荷掃き出しパルス等）を生成して撮像素子２５に出力し、スルー画表示モード時には、例えば１／３０（秒）毎にフレーム画像を取り込み、順次アナログ信号処理部３１に出力させる。また、撮影モード時の露光中には撮像素子２５の露光動作に連動して電荷を蓄積させ（すなわち、被写体光像を画像信号に光電変換させ）、その蓄積電荷をアナログ信号処理部３１に出力させる。
【００３８】
カメラ制御部３３は、デジタルカメラ１の撮影動作を集中制御するものである。カメラ制御部３３は、前述のようにタイミングジェネレータ部３２に対して所定の撮影制御信号を送信すると共に、シャッター駆動部３４やレンズバリア駆動部３５を制御する。シャッター駆動部３４は、カメラ制御部３３からの指示に従って、シャッター２４の開閉動作を行わせるものである。またレンズバリア駆動部３５は、同様にカメラ制御部３３からの指示に従って、レンズバリア２の上下移動動作（つまり撮影レンズ窓１０４の開閉動作。換言すると、外部光の検査光への変換部材を、被写体像撮影光路へ出没させる動作）を行わせるものである。
【００３９】
カメラ制御部３３は、図示省略しているが、所定の絞り値に基づいて撮影光学系の光学絞り開口量を調整する絞りドライバーや、屈曲型鏡胴２０の内部に配置されている焦点距離調整のためのズームレンズやフォーカスレンズを駆動するズーム／フォーカスモータードライバー等を制御して撮影を行わせ、アナログ信号処理部３１、デジタル信号処理部４、及びＬＣＤ表示部１０６を制御して、撮影画像に対して所定の画像処理を行った後、その撮影画像をメモリカード１０７に記録させたり、ＬＣＤ表示部１０７に表示させたりする。つまり、撮影待機中（スルー画表示モード）における各フレーム画像は、アナログ信号処理部３１及び後述のデジタル信号処理部４で所定の画像処理が行なわれた後、ＬＣＤ表示部１０６にスルー画像（ライブビュー画像）として表示される。そして撮影モード時には、撮影画像はアナログ信号処理部３１及びデジタル信号処理部４で所定の画像処理が行なわれた後、記録画像としてメモリカード１０７に記録される。
【００４０】
なお、上記絞り値の設定及び露光時間の設定は、撮影待機中において、撮像素子２５で取り込まれる画像信号から画面内に予め設定された所定の測光エリアに含まれる画像信号を抽出（後述の露光レベル検出部４５で抽出される）し、その画像信号を用いて撮影時の露出制御値を算出すると共に、この算出結果と予め設定されたプログラム線図とを用いることで設定される。
【００４１】
カメラ制御部３３は、以上のような撮像基本動作に加えて、白欠陥画素及び黒欠陥画素の検出動作を行う場合（欠陥画素検出モード）において、シャッター駆動部３４やレンズバリア駆動部３５に制御信号を与え、レンズバリア２及びシャッター２４を適宜制御する。すなわち、白欠陥画素検出を行う場合（白画素欠陥検出モード）は、前記シャッター２４が「閉」となるようシャッター駆動部３４を制御する。また黒欠陥画素検出を行う場合（黒画素欠陥検出モード）は、シャッター２４が「開」の状態で且つレンズバリア２が屈曲型鏡胴２０の開口部２０１に位置している状態、すなわち撮影レンズ窓１０４を覆う状態になるよう、シャッター駆動部３４及びレンズバリア駆動部３５を制御する。そして、前記白画素欠陥検出モード及び黒画素欠陥検出モードにおいてそれぞれ検出された欠陥画素情報が、前記欠陥画素情報記録部４４に記録されるよう制御を行うものである。
【００４２】
デジタル信号処理部４は、アナログ信号処理部３１から出力されたデジタル画像データを処理し、データ処理後のデジタル画像のＬＣＤ表示部１０６への再生表示や、メモリカード１０７への記録を制御するものである。このデジタル信号処理部４は、画像処理部４１、欠陥画素補正部４２、欠陥画素検出部４３、露光レベル検出部４５、ＬＣＤ表示Ｉ／Ｆ部４６、及びメモリカードＩ／Ｆ部４７を備えている。なお、前記欠陥画素補正部４２及び欠陥画素検出部４３と、欠陥画素アドレス記録部４４とにより、本発明にかかる欠陥画素補正手段４００が構成されている。
【００４３】
画像処理部４１は、解像度変換、ホワイトバランス調整、ガンマ補正、画像圧縮／伸長等の信号処理を行って画像ファイルを作成すると共に、前記カメラ制御部３３からの制御信号を受けて、スルー画表示モード時にはＬＣＤ表示Ｉ／Ｆ部４６を介して信号処理後のデジタル画像をＬＣＤ表示部１０６へ表示させ、また撮影モード時にはメモリカードＩ／Ｆ部４７を介して信号処理後のデジタル画像をメモリカード１０７への記録させる。なお、画像処理部４１へ取り込まれた画像データは、撮像素子２５の読み出しに同期して画像メモリ部５に一旦書き込まれ、以後この画像メモリ部５に書き込まれた画像データにアクセスして、画像処理部４１の内部において各種処理が行なわれる。
【００４４】
画像処理部４１には、上述の信号処理を行うための解像度変換回路４１１、ホワイトバランス（ＷＢ）制御回路４１２、及びガンマ補正回路４１３などが設けられている。
【００４５】
解像度変換回路４１１は、設定された記録画像画素数へ解像度を変換するものである。すなわち、画素補間後の画像データに対し、水平又は垂直方向の圧縮、或いは間引きを行う等して、所定の記録画像画素数へ解像度変換する。また、ＬＣＤ表示部１０６での表示用画像を生成する場合においても、この解像度変換回路４１１にて水平画素の間引きを行う等して、表示用の低解像度画像が作成される。
【００４６】
ホワイトバランス制御回路４１２は、画素補間されたデジタル画像のホワイトバランス（ＷＢ）調整を行うものである。ホワイトバランス制御回路４１２は、画像メモリ部５からＲ，Ｂの色成分の画像データを読み出し、それぞれカメラ制御部３３によって設定されたＷＢ調整データに基づいてレベル補正を行う。すなわち、ホワイトバランス制御回路４１２は、撮影被写体において輝度や彩度データ等から本来白色であると推定される部分を特定し、その部分のＲ，Ｇ，Ｂそれぞれの色成分の平均と、Ｇ／Ｒ比及びＧ／Ｂ比とを求め、これをＲ，Ｂの補正ゲインとしてレベル補正する。その補正後の画像データは、それぞれ再度、画像メモリ部５に保存される。
【００４７】
ガンマ補正回路４１３は、ＷＢ調整された画像データの階調特性を、ＬＣＤ表示部１０６や外部出力されるモニターテレビ等の階調特性に補正するものである。ガンマ補正回路４１３は、画像メモリ部５から読み出された画像データのレベルを色成分毎に所定のガンマ特性を用いて非線形変換すると共にオフセット調整する。その変換・調整後の画像データは、それぞれ再度、画像メモリ部５に保存される。
【００４８】
デジタル信号処理部４には、アナログ信号処理部３１より、健全画素だけでなく欠陥画素からの出力信号をも含んだデジタル信号が入力される。このようなデジタル信号をそのまま処理すると欠陥画素による白キズ、黒キズを含む画像が再生・記録されてしまうことから、画像処理部４１の前段に、このような欠陥画素の補正を行うための欠陥画素補正部４２が設けられている。
【００４９】
すなわち欠陥画素補正部４２は、Ｒ，Ｇ，Ｂの各色成分毎にフレーム画像の不足する画素位置のデータを補間する。例えば、撮像素子２５としてＲ，Ｇ，Ｂの各色成分の画素が市松模様状に配列された単板式のＣＣＤ型撮像素子を用いている場合、各色成分のフレーム画像は離散的に配置された画素位置の複数のデータ（画像データ）で構成されているが、欠陥画素補正部４２は、実在する複数の画素データを用いて実在しない画素位置の画素データを補間（補正）する。
【００５０】
具体的には、アナログ信号処理部３１から入力され、画像メモリ部５に一旦保存されているＲ，Ｇ，Ｂの各色成分の画像データは、欠陥画素補正部４２に読み出されて画素データの欠陥画素補正処理が行われる。欠陥画素補正部４２は、高帯域まで画素を持つＧの色成分のフレーム画像については、フレーム画像を構成する画像データを所定のフィルタパターンでマスキングした後、メディアン（中間値）フィルターを用いて、補正すべき画素位置の周辺に実在する画素データのうち、最大値と最小値とを除去した画素データの平均値を演算し、その平均値を当該画素位置の画素データとして補正する。また、Ｒ，Ｂの色成分については、フレーム画像を構成する画像データを所定のフィルタパターンでマスキングした後、補正すべき画素位置の周辺に実在する画素データの平均値を演算し、その平均値を当該画素位置の画素データとして補正する。そして、欠陥画素補正部４２にて画素補正された後の各色成分のフレーム画像データは、再度画像メモリ部５に保存されるものである。
【００５１】
欠陥画素検出部４３は、カメラ制御部３３により白欠陥画素及び黒欠陥画素の検出を行う欠陥画素検出モードの動作が行われている場合において、前記白画素欠陥検出モードのときは白欠陥画素を検出し、前記黒画素欠陥検出モードのときは黒欠陥画素を検出し、それぞれ欠陥画素のアドレスを抽出してこれを欠陥画素アドレス記録部４４に記録する。
【００５２】
ここで、白欠陥画素及び黒欠陥画素について、図４に基づいて説明する。先ず図４（ａ）は、撮像素子２５の有効撮像エリア２５０を平面的に示した図である。有効撮像エリア２５０には規則的に配列された数万〜数百万の画素センサが存在している。図４（ａ）では、説明を簡明化するために、有効撮像エリア２５０中のＡ−Ａ´ライン間に１次元的に存在する画素群を示している。すなわち、Ａ−Ａ´ライン間の黒ドットは、各画素センサを示している。
【００５３】
白欠陥画素は、図４（ｂ）に示すように、有効撮像エリア２５０が遮光状態とされているにも拘わらず、他の画素に比べて高いレベルの出力信号を発生するような画素である。一方、黒欠陥画素は、図４（ｃ）に示すように、有効撮像エリア２５０が均一な光照射状態とされているにも拘わらず、他の画素に比べて低いレベルの出力信号しか発生しないような画素である。
【００５４】
上記の通り、白欠陥画素を検出するには、撮像素子２５の有効撮像エリア２５０を暗い状態、特に完全な遮光状態（白画素欠陥検出モード）とすることが望ましい。一方、黒欠陥画素を検出するには、撮像素子２５の有効撮像エリア２５０に光が照射されている状態、特に均一な光照射状態（黒画素欠陥検出モード）とすることが望ましい。前記白画素欠陥検出モードの望ましい検出環境は、シャッター２４が「閉」となるようシャッター駆動部３４を制御することで容易に作出できる。この点、本発明にかかるデジタルカメラ１以外でも同様である。
【００５５】
しかしながら、前記黒画素欠陥検出モードの望ましい検出環境は、通常のデジタルカメラ等では作出することは困難である。これに対し、本発明にかかるデジタルカメラ１によれば、黒画素欠陥検出モードの望ましい検出環境が容易に作出でき、この点に本発明の特徴がある。すなわち、黒画素欠陥検出モードにおいては、シャッター２４が「開」の状態とされると共に、光透過性および光拡散性を備えるレンズバリア２が撮影レンズ窓１０４を覆う状態とすることで、当該デジタルカメラ１が置かれている環境の光（外部の光）を拡散光（検査光）に変換した上で撮像素子２５の有効撮像エリア２５０全体へ略均一に光照射させることができる。このような構成を採用たことにより、黒欠陥画素が欠陥画素検出部４３により正確に検出されるものである。
【００５６】
図３に戻って、欠陥画素アドレス記録部（欠陥画素情報記録部）４４はＲＯＭやＲＡＭ等のメモリからなり、該欠陥画素アドレス記録部４４には、前記欠陥画素検出部４３により検出された白欠陥画素及び黒欠陥画素のアドレス情報が記録される。また欠陥画素アドレス記録部４４に記録された欠陥画素情報は、前記欠陥画素補正部４２により読み出され、欠陥画素補正部４２における欠陥画素補正の際の参照情報として活用される。
【００５７】
露光レベル検出部４５は、撮像素子２５で取り込まれる画像信号から画面内に予め設定された所定の測光エリアに含まれる画像信号を、前記画像処理部４１を介して抽出し、その画像信号を用いて撮影時の画像データ露光レベル（明るさレベル）を検出し、これをカメラ制御部３３に向けて出力する。
【００５８】
ＬＣＤ表示Ｉ／Ｆ部４６は、画像処理部４１で生成されたＬＣＤ表示用画像データを、例えばＮＴＳＣ方式若しくはＰＡＬ方式の画像信号に変換してＬＣＤ表示部１０６に出力する。またメモリカードＩ／Ｆ部４７は、画像処理部４１で生成されたメモリカード記録用画像データを、メモリカード１０７に記録させるべく出力する。
【００５９】
画像メモリ部５は、ＲＯＭやＲＡＭ等のメモリからなり、画像データに所定のデジタル画像処理を行うために当該画像データを一時的に保存する。画像メモリ部５は、例えば３枚分の画像が記憶可能な容量を有し、撮像画像はＲ，Ｇ，Ｂの各色成分に分離された状態で記憶される。またメモリカード１０７は、上述の画像データを記録して保存しておくためのメモリであって、デジタルカメラ１に対して取り外し自在とされており、外部の記録媒体との画像データ交換を可能とするものである。
【００６０】
以上の通り構成された本発明にかかるデジタルカメラ１の動作につき、図５に示すフローチャート並びに図３のブロック図に基づいて説明する。本実施形態にかかるデジタルカメラ１は、撮影待機中にビデオ撮影されるライブビュー画像を表示するスルー画表示モードＭ１と、被写体像を撮影して記録する撮影モードＭ２と、白欠陥画素及び黒欠陥画素の検出を行う欠陥画素検出モードＭ３とを具備している。
【００６１】
初期状態を、当該デジタルカメラ１の電源がＯＦＦとされ、レンズバリア２が撮影レンズ窓１０４を覆っている状態（レンズバリア２が上方向、つまり屈曲型鏡胴２の開口部２０１に位置し撮影レンズ２１を保護している状態）とする。この状態において、先ず電源釦１０１が押下され電源ＯＮの状態に移行されたかが検出される（ステップＳ１）。電源釦１０１が押下されない場合（電源がＯＦＦの状態）は該検出ループが継続される。
【００６２】
一方、電源がＯＮ状態とされた場合は、カメラ制御部３３からレンズバリア駆動部３５に「レンズバリア開」の動作制御信号が送られ、該レンズバリア駆動部３５は駆動信号を生成してレンズバリア２を駆動し、前記開口部２０１の位置にあるレンズバリア２を下方向へ移動させ、撮影レンズ窓１０４はオープンの状態とさせる（ステップＳ２）。さらにカメラ制御部３３から、屈曲型鏡胴２０内部のシャッター２４も「開」となるよう、シャッター駆動部３４に動作制御信号が送られ、シャッター駆動部３４は駆動信号を生成してシャッター２４を「開」状態とさせる（ステップＳ３）。この動作により、撮影レンズ窓１０４を通して被写体の光像が撮像素子２５に届くようになり、スルー画表示モードＭ１（撮影待機状態）に移行される。
【００６３】
スルー画表示モードＭ１においては、撮像素子２５で撮影される被写体画像データ（フレーム画像データ）は、アナログ信号処理部３１でデジタル化され、続いてデジタル信号処理部４で所定の画像処理が行なわれた後、ＬＣＤ表示部１０６においてスルー画として表示される（ステップＳ４）。
【００６４】
上記ステップＳ４の状態で、レリーズ釦１０２が押下されてＯＮ状態であるか否かが検出され（ステップＳ５）、レリーズ釦１０２が押下された場合は、撮影モードＭ２へ移行する。撮影モードＭ２においては、カメラ制御部３３からタイミングジェネレータ部３２に所定の撮影制御信号が送られ、露光量等が所定の条件とされた上で撮像動作が行われ、撮影された被写体画像データは、アナログ信号処理部３１でデジタル化され、続いてデジタル信号処理部４で所定の画像処理が行なわれた後、メモリカード１０７に記録される（ステップＳ７）。
【００６５】
一方、レリーズ釦１０２が押下されない場合、電源釦１０１が再び押下され電源ＯＦＦの状態に移行されたかが検出される（ステップＳ６）。また、前記ステップＳ７の撮影動作が終った場合も、撮影モードＭ２からスルー画表示モードＭ１に戻り、同様に前記ステップＳ６の検出動作が行われる。電源釦１０１が押下されず電源ＯＮの状態が維持されている場合は、ステップＳ４に戻り同じ動作が繰り返され、ＬＣＤ表示部１０６においてスルー画が表示される。
【００６６】
これに対し電源釦１０１が再び押下され、電源ＯＦＦの状態への準備が開始されると、欠陥画素検出モードＭ３へ移行される。欠陥画素検出モードＭ３に移行された場合、カメラ制御部３３からレンズバリア駆動部３５に「レンズバリア閉」の動作制御信号が送られ、該レンズバリア駆動部３５は駆動信号を生成してレンズバリア２を駆動し、前記開口部２０１の下部に位置しているレンズバリア２を上方向へ移動させる。これにより、撮影レンズ窓１０４はレンズバリア２により覆われた状態とされる（ステップＳ８）。しかしながら、レンズバリア２は光透過性及び光拡散性を有していることから遮光状態とはならず、撮影レンズ窓１０４から外部の光が、レンズバリア２により拡散光（検査光）に変換された上で、屈曲型鏡胴２０の内部に入射される状態となる。このとき、シャッター２４は「開」の状態とされ、撮像素子２５はレンズバリア２を通して入射される拡散光の検出が可能な状態とされている。
【００６７】
続いて、露光レベル検出部４５から発せられる露光レベルに関するデータに基づいて、カメラ制御部３３により、黒欠陥画素の検出に適した露光レベルになっているか否かが判定される（ステップＳ９）。すなわち、黒欠陥画素の検出に際しては、図４（ｃ）に示したように撮像素子２５の有効撮像エリア２５０の各画素センサが、相応の露光状態に達していること（黒欠陥画素センサと健全画素センサとの光電変換出力差が識別可能な状態となっていること）が肝要となるが、かかる状態に至っているか否かが露光レベル検出部４５の出力データに基づいて判断されるものである。
【００６８】
そして適正な露光レベルに達していると判定された場合（ステップＳ９でＹｅｓ）、欠陥画素検出部４３により黒欠陥画素の検出動作が行われる（ステップＳ１０；黒画素欠陥検出モード）。すなわち、図４（ｃ）に示したような、他の画素センサの出力に比べて著しく低い出力レベルにある画素センサが存在するかが確認され、そのような低出力レベル画素が存在していた場合、当該低出力レベル画素を「黒欠陥画素」として検出する。そして欠陥画素検出部４３は、前記「黒欠陥画素」のアドレスを抽出し、このアドレスを欠陥画素情報として欠陥画素アドレス記録部４４に記録させる。このようにして欠陥画素アドレス記録部４４に記録された黒キズについての欠陥画素情報は、欠陥画素補正部４２による欠陥画素補正の際に活用されることとなる。
【００６９】
ステップＳ１０の黒欠陥画素の検出動作が完了されると、カメラ制御部３３から、屈曲型鏡胴２０内部のシャッター２４が「閉」となるよう、シャッター駆動部３４に動作制御信号が送られる。これにより、シャッター駆動部３４は駆動信号を生成してシャッター２４を「閉」状態とさせる（ステップＳ１１）。なおステップＳ９において、適正な露光レベルに達していないと判定された場合（ステップＳ９でＮｏ）、例えばステップＳ６の電源釦１０１の押下動作が暗所（夜間等）で行われ、拡散光（検査光）がレンズバリア２を通して入射されない状態が所定時間続いた場合も、黒欠陥画素検出のための検出環境が整わなかったものとして検出動作の実行を見送り、ステップＳ１１に移行してシャッター２４が「閉」とされる。
【００７０】
ステップＳ１１においてシャッター２４が「閉」とされると、撮像素子２５は遮光状態とされる。つまり、図４（ｂ）に示す白欠陥画素の検出環境が作出されたこととなる。そこで、欠陥画素検出部４３により白欠陥画素の検出動作が行われる（ステップＳ１２；白画素欠陥検出モード）。すなわち、図４（ｂ）に示したような、他の画素センサの出力に比べて著しく高い出力レベルにある画素センサが存在するかが確認され、そのような高出力レベル画素が存在していた場合、当該高出力レベル画素を「白欠陥画素」として検出する。そして欠陥画素検出部４３は、前記「白欠陥画素」のアドレスを抽出し、このアドレスを欠陥画素情報として欠陥画素アドレス記録部４４に記録させる。このようにして欠陥画素アドレス記録部４４に記録された白キズについての欠陥画素情報は、欠陥画素補正部４２による欠陥画素補正の際に活用されることとなる。
【００７１】
以上のような欠陥画素検出モードＭ３が完了すると、当該デジタルカメラ１の電源は完全に遮断され、電源がＯＦＦの状態で且つレンズバリア２が撮影レンズ窓１０４を覆っている初期状態に戻ることとなる。
【００７２】
図５のフローチャートでは、欠陥画素検出モードＭ３が、デジタルカメラ１の起動停止時、すなわち電源ＯＮ状態において電源釦１０１が押下され、レンズバリア２により撮影レンズ窓１０４が覆われて電源ＯＦＦに至るまでの間に実行される場合を例示したがこれに限定されず、適宜なタイミングで実行させることができる。しかし、この実施形態のようにデジタルカメラ１の起動停止時、又は起動開始時、つまり電源ＯＦＦ状態において電源釦１０１が押下されレンズバリア２が開放されるまでの間（ステップＳ１とステップＳ２との間）に、前記黒画素欠陥検出モード（ステップＳ９とステップＳ１０）を実行させたり、或いは電源ＯＦＦにおける任意の時間帯に実行させたりすることが望ましい。この構成によれば、デジタルカメラ１の通常のオペレイトにおいてレンズバリア２が閉じている時間帯に、黒欠陥画素の検出動作が自動的に行われ、その欠陥画素情報を欠陥画素アドレス記録部４４に記録させることができるようになり、ユーザが特に意識的な動作を為さずとも欠陥画素情報を逐次自動更新できるという利点がある。
【００７３】
以上、本発明の実施形態について説明したが、本発明は上記の構成を種々変更して実施することが可能である。例えば上記実施形態では、ズーミングやフォーカシング駆動時においてその長さが変動しない屈曲型鏡胴２０を用いたデジタルカメラ１（撮像装置）について説明したが、これを沈胴タイプの鏡胴に代替させるようにしても良い。
【００７４】
このような沈胴タイプ鏡胴においては、一般的に図６に示すようなレンズバリア６が用いられている。すなわち、このレンズバリア６は、撮影レンズ開口部６００を覆う第１のバリア片６１及び第２のバリア片６２からなるバリア部材６０で構成され、各バリア片６１、６２は回動軸６１１、６１２及び駆動部６１２、６２２により、撮影レンズ開口部６００を開状態若しくは閉状態とするよう回動自在に配置される構成を大略的に備えている。このような構成のレンズバリア６において、前記第１のバリア片６１及び第２のバリア片６２を光透過性及び光拡散性を備える部材で構成すると共に、第１のバリア片６１及び第２のバリア片６２の開閉動作を上述のレンズバリア２の上下移動動作に置換して同様の動作を行わせれば、黒欠陥画素を簡易に検出、補正できる撮像装置を提供できるようになる。
【００７５】
また導光手段による検査光の導光経路に関し、上記実施形態では屈曲型鏡胴２０が備える被写体像の入射光路を利用する態様について例示したが、本発明における導光手段は、当該撮像装置が置かれている環境下において、外部から光を撮像装置内部に取り入れ、これを所定の検査光に変換した上で撮像手段が備える撮像素子へ導くものであれば、その具体的態様につき特に制限はない。例えば、光透過性及び光拡散性を備えた変換部材からなる導光窓部を撮像装置の本体ボディに設けると共に、前記導光窓部から撮像素子に至る分光路を設け、適宜撮像素子に拡散光を照射しうる構成としても良い。
【図面の簡単な説明】
【００７６】
【図１】本発明にかかる撮像装置が好適に適用される小型のデジタルカメラの外観を示す図であって、（ａ）はその上面図、（ｂ）は正面図、（ｃ）は背面図をそれぞれ示している。
【図２】図１のデジタルカメラに適用される屈曲型鏡胴の断面図である。
【図３】本発明に係るデジタルカメラによる撮像処理ブロック図である。
【図４】白欠陥画素及び黒欠陥画素についての説明図であり、（ａ）は有効撮像エリアの説明図、（ｂ）は白欠陥画素の説明図、（ｃ）は黒欠陥画素の説明図である。
【図５】本発明にかかるデジタルカメラの動作を説明するためのフローチャートである。
【図６】レンズバリアの他の実施形態を示す平面図である。
【符号の説明】
【００７７】
１      デジタルカメラ（撮像装置）
１０    本体ボディ
１０１  電源釦
１０２  レリーズ釦
１０４  撮影レンズ窓
１０６  ＬＣＤ表示部
１０７  メモリカード
２、６  レンズバリア（光透過性及び光拡散性を備えた変換部材）
２０    屈曲型鏡胴（導光手段）
２１    撮影レンズ（光学レンズ）
２４    シャッター
２５    撮像素子
３１    アナログ信号処理部
３２    タイミングジェネレータ部
３３    カメラ制御部
３４    シャッター駆動部
３５    レンズバリア駆動部
４      デジタル信号処理部
４１    画像処理部（画像処理手段）
４２    欠陥画素補正部
４３    欠陥画素検出部
４４    欠陥画素アドレス記録部
４５    露光レベル検出部
５      画像メモリ部
【図１】
2005303818.tif 000003
【図２】
2005303818.tif 000004
【図３】
2005303818.tif 000005
【図４】
2005303818.tif 000006
【図５】
2005303818.tif 000007
【図６】
2005303818.tif 000008